【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
コンピュータに実装され、オンラインのユニットプロセスモデルを生成する方法であって、
産業プラントのプラントワイドプロセスモデルであって、前記産業プラントのオフライン操業を実行するように構成されているプラントワイドプロセスモデルを特定する過程と、
特定された前記プラントワイドプロセスモデルに含まれる、モデル化された動作ユニットであって、前記産業プラントにおける実際の動作ユニットに対応するモデル化された動作ユニットを選択する選択過程と、
特定された前記プラントワイドプロセスモデルを、選択された前記モデル化された動作ユニットのユニットプロセスモデルに変換する変換過程と、
前記ユニットプロセスモデルを、前記実際の動作ユニットの計器によって収集されたリアルタイム測定値に基づいて機能できるように再校正する再校正過程と、
再校正された前記ユニットプロセスモデルであって、前記実際の動作ユニットの前記計器によって収集されたリアルタイム測定値に基づいて、前記産業プラントにおける前記実際の動作ユニットの動作挙動を予測するＫＰＩを算出するユニットプロセスモデルを前記産業プラントにおいてオンラインで配備する配備過程と、
前記実際の動作ユニットを、当該実際の動作ユニットの予測された前記動作挙動に従って制御する制御過程と、
を備える、方法。
【請求項２】
請求項１に記載の方法において、前記プラントワイドプロセスモデルが第一原理モデルであり、かつ、前記変換過程及び前記再校正過程から得られる前記ユニットプロセスモデルが第一原理モデルである、方法。
【請求項３】
請求項１に記載の方法において、前記動作ユニットが蒸留塔である、方法。
【請求項４】
請求項１に記載の方法において、特定された前記プラントワイドプロセスモデルを変換する前記変換過程が、
選択された前記モデル化された動作ユニットとは無関係な変数及び式を除去する除去副過程、
選択された前記モデル化された動作ユニットの仕様を標準仕様に置換する置換副過程、
計算基準を標準形式に変換する変換副過程、
選択された前記モデル化された動作ユニットのプロセス変数
を再設定する再設定副過程、ならびに
選択された前記モデル化された動作ユニットの制御ループであって、選択された前記モデル化された動作ユニットの動作目的を特定する制御ループを決定する決定副過程、
を含む、方法。
【請求項５】
請求項４に記載の方法において、前記プロセス変数を再設定する前記再設定副過程が、
選択された前記モデル化された動作ユニットの操作変数及び出力変数を特定すること、ならびに
特定された前記操作変数及び前記出力変数のそれぞれを、少なくとも１つの計器タグにマッピングすること、
を有する、方法。
【請求項６】
請求項１に記載の方法において、前記ユニットプロセスモデルを再校正する前記再校正過程が、
リアルタイムプラントヒストリアンから取り出されたプラントデータに基づくデータセットであって、校正された時間ホライズン中に定常状態で収集された、前記プラントデータのサブセットを含むデータセットを生成する生成副過程、
前記ユニットプロセスモデルにおけるモデル化された流量を調和させる副過程であって、前記ユニットプロセスモデルが前記産業プラントにおいて実際の流量計器によって収集された測定値を用いて機能することを可能にする、流量調和副過程、
前記ユニットプロセスモデルにおけるモデル化された温度を調和させる副過程であって、前記ユニットプロセスモデルが前記産業プラントにおいて実際の温度計器によって収集された測定値を用いて機能することを可能にする、温度調和副過程、
選択された前記モデル化された動作ユニットに入る原料ストリームの組成を前記ユニットプロセスモデルが推定することを可能にする原料推定手段を構築する構築副過程、ならびに
選択された前記モデル化された動作ユニットが蒸留塔である場合、前記ユニットプロセスモデルにおける当該蒸留塔の内部の液体・蒸気往来流を表す流体力学的モデルを調整する調整副過程、
を含む、方法。
【請求項７】
請求項６に記載の方法において、モデル化された流量を調和させる前記流量調和副過程又はモデル化された温度を調和させる前記温度調和副過程が、さらに、
前記実際の計器それぞれにおける期待誤差を選択すること、
前記データセットの前記プラントデータを、トレーニングセットとテストセットに分けること、
最適化モデルを前記トレーニングセットにおける各データ点について生成することであって、当該最適化モデルの解を求めることにより、前記モデル化された流量又は前記モデル化された温度についての校正パラメータを決定すること、および
シミュレーションモデルを前記テストセットにおける各データ点について生成することであって、当該シミュレーションモデルの解を求めることにより、決定された前記校正パラメータの品質を決定すること、
を有する、方法。
【請求項８】
請求項７に記載の方法において、前記モデル化された流量についての前記校正パラメータが、前記実際の流量計器によって測定された流量と前記ユニットプロセスモデルによって算出された流量との差分を表す流量オフセットである、方法。
【請求項９】
請求項７に記載の方法において、前記モデル化された温度についての前記校正パラメータが、
前記実際の温度計器によって測定された温度と前記ユニットプロセスモデルによって算出された温度との分離度を表す効率パラメータ、および
前記実際の動作ユニットにおいて測定された圧力降下が前記ユニットプロセスモデルによって算出された圧力降下と合致するか否かを表す通気パラメータを含む、方法。
【請求項１０】
請求項１に記載の方法において、再校正された前記ユニットプロセスモデルを前記産業プラントにおいてオンラインで配備する前記配備過程が、
前記ユニットプロセスモデルの動的に実行可能なバージョンを生成する副過程であって、前記実際の動作ユニットの前記計器によるリアルタイム測定値を前記ユニットプロセスモデルによって算出される対応する数値にリンクする変数を生成する、副過程、
前記実際の動作ユニットのリアルタイム測定値を取り出す副過程であって、前記モデルに、リンクされた変数をリアルタイム測定値と関連付けて設定する、副過程、
前記ユニットプロセスモデルの前記動的に実行可能なバージョンの解を求める副過程であって、リンクされた変数を算出されるモデル値に関連付けて設定し、前記モデル化された動作ユニットのＫＰＩについての数値を決定する、副過程、ならびに
決定された前記ＫＰＩを、当該ＫＰＩに基づいて前記実際の動作ユニットを予測及び制御するように構成されたプラントコンピュータによるアクセスのために、リアルタイムヒストリアンに書き込む副過程、
を含む、方法。
【請求項１１】
請求項１に記載の方法において、さらに、
再校正された前記ユニットプロセスモデルを、前記実際の動作ユニットの事象についての指示案内のユーザへの提供を自動化しているルールエンジンを生成するように適用する過程、
を備える、方法。
【請求項１２】
オンラインのユニットプロセスモデルを生成するコンピュータシステムであって、
プロセッサと、
コンピュータコード命令が記憶されたメモリと、
を備え、前記メモリは、前記プロセッサにより実行されると前記コンピュータコード命令が
ａ）モデル変換手段であって、
産業プラントのプラントワイドプロセスモデルであって、前記産業プラントのオフライン操業を実行するように構成されたプラントワイドプロセスモデルを取得し、
取得された前記プラントワイドプロセスモデルに含まれる、モデル化された動作ユニットであって、前記産業プラントでの実際の動作ユニットに対応するモデル化された動作ユニットを選択し、
取得された前記プラントワイドプロセスモデルを、選択された前記モデル化された動作ユニットのユニットプロセスモデルに変換するように構成された、モデル変換手段、
ｂ）前記モデル変換手段に応答して、前記ユニットプロセスモデルを再校正するように構成されたモデル校正手段であって、前記再校正により、前記ユニットプロセスモデルが、前記実際の動作ユニットの計器によって収集されたリアルタイム測定値に基づいて機能できるようにする、モデル校正手段、および
ｃ）再校正された前記ユニットプロセスモデルを前記産業プラントにおいてオンラインで配備するように構成された配備エンジンであって、配備された前記ユニットプロセスモデルは、前記実際の動作ユニットの前記計器によって収集されたリアルタイム測定値に基づいて、前記産業プラントでの前記実際の動作ユニットの動作挙動を予測するＫＰＩを算出する、配備エンジン
を当該コンピュータシステムに実装させるように、前記プロセッサに作動的に接続されており、
前記配備エンジンは、前記実際の動作ユニットを、当該実際の動作ユニットの予測された前記動作挙動に従って制御するように構成された制御システム通信する、コンピュータシステム。
【請求項１３】
請求項１２に記載のコンピュータシステムにおいて、取得された前記プラントワイドプロセスモデルおよび再校正された前記ユニットプロセスモデルが第一原理モデルである、コンピュータシステム。
【請求項１４】
請求項１２に記載のコンピュータシステムにおいて、前記動作ユニットが蒸留塔である、コンピュータシステム。
【請求項１５】
請求項１２に記載のコンピュータシステムにおいて、前記モデル変換手段が、さらに、前記プラントワイドプロセスを、
選択された前記モデル化された動作ユニットとは無関係な変数及び式を除去し、
選択された前記モデル化された動作ユニットの仕様を標準仕様に置換し、
計算基準を標準形式に変換し、
選択された前記モデル化された動作ユニットのプロセス変数を再設定し、
選択された前記モデル化された動作ユニットの制御ループであって、選択された前記モデル化された動作ユニットの動作目的を特定する制御ループを決定することによって
変換するように構成されている、コンピュータシステム。
【請求項１６】
請求項１５に記載のコンピュータシステムにおいて、前記モデル変換手段が、さらに、前記プロセス変数を、
選択された前記モデル化された動作ユニットの操作変数及び出力変数を特定し、
特定された前記操作変数及び前記出力変数のそれぞれを、少なくとも１つの計器タグにマッピングすることによって
再設定するように構成されている、コンピュータシステム。
【請求項１７】
請求項１２に記載のコンピュータシステムにおいて、前記モデル校正手段が、
リアルタイムプラントヒストリアンから取り出されたプラントデータに基づくデータセットであって、校正された時間ホライズン中に定常状態で収集された、前記プラントデータのサブセットを含むデータセットを生成するように構成されたデータセット生成部、
前記ユニットプロセスモデルにおけるモデル化された流量を調和させるように構成された流量調和部であって、当該調和は、前記ユニットプロセスモデルが前記産業プラントにおいて実際の流量計器によって収集された測定値を用いて機能することを可能にする、流量調和部、
前記ユニットプロセスモデルにおけるモデル化された温度を調和させるように構成された温度調和部であって、当該調和は、前記ユニットプロセスモデルが前記産業プラントにおいて実際の温度計器によって収集された測定値を用いて機能することを可能にする、温度調和部、
選択された前記モデル化された動作ユニットに入る原料ストリームの組成を前記ユニットプロセスモデルが推定することを可能にする原料推定手段を構築するように構成された原料推定手段構築部、ならびに
選択された前記モデル化された動作ユニットが蒸留塔である場合、前記ユニットプロセスモデルにおける当該蒸留塔の内部の液体・蒸気往来流を表す流体力学的モデルを調整するように構成された流体力学的モデル調整部、
を含む、コンピュータシステム。
【請求項１８】
請求項１７に記載のコンピュータシステムにおいて、前記流量調和部および前記温度調和部が、さらに、
前記実際の計器それぞれにおける期待誤差を選択し、
前記データセットの前記プラントデータを、トレーニングセットとテストセットに分けて、
最適化モデルを前記トレーニングセットにおける各データ点について生成し、当該最適化モデルの解を求めることにより、前記モデル化された流量又は前記モデル化された温度についての校正パラメータを決定し、
シミュレーションモデルを前記テストセットにおける各データ点について生成し、当該シミュレーションモデルの解を求めることにより、決定された前記校正パラメータの品質を決定するように構成されている、コンピュータシステム。
【請求項１９】
請求項１８に記載のコンピュータシステムにおいて、前記校正パラメータが：
前記モデル化された流量については、前記実際の流量計器によって測定された流量と前記ユニットプロセスモデルによって算出された流量との差分を表す流量オフセットであり、
前記モデル化された温度については、前記実際の温度計器によって測定された温度と前記ユニットプロセスモデルによって算出された温度との分離度を表す効率パラメータ、および前記実際の動作ユニットにおいて測定された圧力降下が前記ユニットプロセスモデルによって算出された圧力降下と合致するか否かを表す通気パラメータである、コンピュータシステム。
【請求項２０】
請求項１２に記載のコンピュータシステムにおいて、前記配備エンジンが、さらに、
前記実際の動作ユニットの前記計器によるリアルタイム測定値を前記ユニットプロセスモデルによって算出される対応する数値にリンクする変数を生成することを含み、前記ユニットプロセスモデルの動的に実行可能なバージョンを生成し、
前記実際の動作ユニットのリアルタイム測定値を取り出し、前記モデルに、リンクされた変数をリアルタイム測定値と関連付けて設定し、
前記ユニットプロセスモデルの前記動的に実行可能なバージョンの解を求め、リンクされた変数を算出されるモデル値と関連付けて設定し、前記モデル化された動作ユニットのＫＰＩの数値を決定し、
決定された前記ＫＰＩを、当該ＫＰＩに基づいて前記実際の動作ユニットを予測及び制御するように構成されたプラントコンピュータによるアクセスのために、リアルタイムヒストリアンに書き込むように構成されている、コンピュータシステム。
【請求項２１】
請求項１２に記載のコンピュータシステムにおいて、前記配備エンジンが、さらに、再校正された前記ユニットプロセスモデルを適用し、前記実際の動作ユニットの事象についての指示案内のユーザへの提供を自動化しているルールエンジンを生成する、コンピュータシステム。
【請求項２２】
コード命令が記憶された非過渡的なコンピュータ読取り可能記憶媒体、
を備える、コンピュータプログラムプロダクトであって、
前記記憶媒体は、オンラインのユニットプロセスモデルを生成するプロセッサにより実行されると前記コード命令が、当該プロセッサに：
産業プラントのプラントワイドプロセスモデルであって、前記産業プラントのオフライン操業を実行するように構成されているプラントワイドプロセスモデルを取得する手順、
取得された前記プラントワイドプロセスモデルに含まれる、モデル化された動作ユニットであって、前記産業プラントにおける実際の動作ユニットに対応するモデル化された動作ユニットを選択する手順、
取得された前記プラントワイドプロセスモデルを、選択された前記モデル化された動作ユニットの第一原理ユニットプロセスモデルに変換する手順、
前記ユニットプロセスモデルを、前記実際の動作ユニットの計器によって収集されたリアルタイム測定値に基づいて機能できるように再校正して、再校正された第一原理ユニットプロセスモデルとする手順、
再校正された前記第一原理ユニットプロセスモデルであって、前記実際の動作ユニットの前記計器によって収集されたリアルタイム測定値に基づいて、前記産業プラントにおける前記実際の動作ユニットの動作挙動を予測するＫＰＩを算出する第一原理ユニットプロセスモデルを前記産業プラントにおいてオンラインで配備する手順、
前記実際の動作ユニットを、当該実際の動作ユニットの予測された前記動作挙動に従って制御する手順
を実行させるように、当該プロセッサに作動的に接続されている、コンピュータプログラムプロダクト。
【手続補正２】
【補正対象書類名】明細書
【補正対象項目名】００９０
【補正方法】変更
【補正の内容】
【００９０】
本発明を例示的な実施形態を参照しながら具体的に図示・説明したが、当業者であれば、添付の特許請求の範囲に包含された本発明の範囲を逸脱しない範疇で形態や細部に様々な変更を施せることを理解するであろう。
なお、本発明は、態様として以下の内容を含む。
〔態様１〕
コンピュータに実装され、オンラインのユニットプロセスモデルを生成する方法であって、
産業プラントのプラントワイドプロセスモデルであって、前記産業プラントのオフライン操業を実行するように構成されているプラントワイドプロセスモデルを特定する過程と、
特定された前記プラントワイドプロセスモデルに含まれる、モデル化された動作ユニットであって、前記産業プラントにおける実際の動作ユニットに対応するモデル化された動作ユニットを選択する選択過程と、
特定された前記プラントワイドプロセスモデルを、選択された前記モデル化された動作ユニットのユニットプロセスモデルに変換する変換過程と、
前記ユニットプロセスモデルを、前記実際の動作ユニットの計器によって収集されたリアルタイム測定値に基づいて機能できるように再校正する再校正過程と、
再校正された前記ユニットプロセスモデルであって、前記実際の動作ユニットの前記計器によって収集されたリアルタイム測定値に基づいて、前記産業プラントにおける前記実際の動作ユニットの動作挙動を予測するＫＰＩを算出するユニットプロセスモデルを前記産業プラントにおいてオンラインで配備する配備過程と、
前記実際の動作ユニットを、当該実際の動作ユニットの予測された前記動作挙動に従って制御する制御過程と、
を備える、方法。
〔態様２〕
態様１に記載の方法において、前記プラントワイドプロセスモデルが第一原理モデルであり、かつ、前記変換過程及び前記再校正過程から得られる前記ユニットプロセスモデルが第一原理モデルである、方法。
〔態様３〕
態様１に記載の方法において、前記動作ユニットが蒸留塔である、方法。
〔態様４〕
態様１に記載の方法において、特定された前記プラントワイドプロセスモデルを変換する前記変換過程が、
選択された前記モデル化された動作ユニットとは無関係な変数及び式を除去する除去副過程、
選択された前記モデル化された動作ユニットの仕様を標準仕様に置換する置換副過程、
計算基準を標準形式に変換する変換副過程、
選択された前記モデル化された動作ユニットのプロセス変数
を再設定する再設定副過程、ならびに
選択された前記モデル化された動作ユニットの制御ループであって、選択された前記モデル化された動作ユニットの動作目的を特定する制御ループを決定する決定副過程、
を含む、方法。
〔態様５〕
態様４に記載の方法において、前記プロセス変数を再設定する前記再設定副過程が、
選択された前記モデル化された動作ユニットの操作変数及び出力変数を特定すること、ならびに
特定された前記操作変数及び前記出力変数のそれぞれを、少なくとも１つの計器タグにマッピングすること、
を有する、方法。
〔態様６〕
態様１に記載の方法において、前記ユニットプロセスモデルを再校正する前記再校正過程が、
リアルタイムプラントヒストリアンから取り出されたプラントデータに基づくデータセットであって、校正された時間ホライズン中に定常状態で収集された、前記プラントデータのサブセットを含むデータセットを生成する生成副過程、
前記ユニットプロセスモデルにおけるモデル化された流量を調和させる副過程であって、前記ユニットプロセスモデルが前記産業プラントにおいて実際の流量計器によって収集された測定値を用いて機能することを可能にする、流量調和副過程、
前記ユニットプロセスモデルにおけるモデル化された温度を調和させる副過程であって、前記ユニットプロセスモデルが前記産業プラントにおいて実際の流量計器によって収集された測定値を用いて機能することを可能にする、温度調和副過程、
選択された前記モデル化された動作ユニットに入る原料ストリームの組成を前記ユニットプロセスモデルが推定することを可能にする原料推定手段を構築する構築副過程、ならびに
選択された前記モデル化された動作ユニットが蒸留塔である場合、前記ユニットプロセスモデルにおける当該蒸留塔の内部の液体・蒸気往来流を表す流体力学的モデルを調整する調整副過程、
を含む、方法。
〔態様７〕
態様６に記載の方法において、モデル化された流量を調和させる前記流量調和副過程又はモデル化された温度を調和させる前記温度調和副過程が、さらに、
前記実際の計器それぞれにおける期待誤差を選択すること、
前記データセットの前記プラントデータを、トレーニングセットとテストセットに分けること、
最適化モデルを前記トレーニングセットにおける各データ点について生成することであって、当該最適化モデルの解を求めることにより、前記モデル化された流量又は前記モデル化された温度についての校正パラメータを決定すること、および
シミュレーションモデルを前記テストセットにおける各データ点について生成することであって、当該シミュレーションモデルの解を求めることにより、決定された前記校正パラメータの品質を決定すること、
を有する、方法。
〔態様８〕
態様７に記載の方法において、前記モデル化された流量についての前記校正パラメータが、前記実際の流量計器によって測定された流量と前記ユニットプロセスモデルによって算出された流量との差分を表す流量オフセットである、方法。
〔態様９〕
態様７に記載の方法において、前記モデル化された温度についての前記校正パラメータが、
前記実際の温度計器によって測定された温度と前記ユニットプロセスモデルによって算出された温度との分離度を表す効率パラメータ、および
前記実際の動作ユニットにおいて測定された圧力降下が前記ユニットプロセスモデルによって算出された圧力降下と合致するか否かを表す通気パラメータを含む、方法。
〔態様１０〕
態様１に記載の方法において、再校正された前記ユニットプロセスモデルを前記産業プラントにおいてオンラインで配備する前記配備過程が、
前記ユニットプロセスモデルの動的に実行可能なバージョンを生成する副過程であって、前記実際の動作ユニットの前記計器によるリアルタイム測定値を前記ユニットプロセスモデルによって算出される対応する数値にリンクする変数を生成する、副過程、
前記実際の動作ユニットのリアルタイム測定値を取り出す副過程であって、前記モデルに、リンクされた変数をリアルタイム測定値と関連付けて設定する、副過程、
前記ユニットプロセスモデルの前記動的に実行可能なバージョンの解を求める副過程であって、リンクされた変数を算出されるモデル値に関連付けて設定し、前記モデル化された動作ユニットのＫＰＩについての数値を決定する、副過程、ならびに
決定された前記ＫＰＩを、当該ＫＰＩに基づいて前記実際の動作ユニットを予測及び制御するように構成されたプラントコンピュータによるアクセスのために、リアルタイムヒストリアンに書き込む副過程、
を含む、方法。
〔態様１１〕
態様１に記載の方法において、さらに、
再校正された前記ユニットプロセスモデルを、前記実際の動作ユニットの事象についての指示案内のユーザへの提供を自動化しているルールエンジンを生成するように適用する過程、
を備える、方法。
〔態様１２〕
オンラインのユニットプロセスモデルを生成するコンピュータシステムであって、
プロセッサと、
コンピュータコード命令が記憶されたメモリと、
を備え、前記メモリは、前記プロセッサにより実行されると前記コンピュータコード命令が
ａ）モデル変換手段であって、
産業プラントのプラントワイドプロセスモデルであって、前記産業プラントのオフライン操業を実行するように構成されたプラントワイドプロセスモデルを取得し、
取得された前記プラントワイドプロセスモデルに含まれる、モデル化された動作ユニットであって、前記産業プラントでの実際の動作ユニットに対応するモデル化された動作ユニットを選択し、
取得された前記プラントワイドプロセスモデルを、選択された前記モデル化された動作ユニットのユニットプロセスモデルに変換するように構成された、モデル変換手段、
ｂ）前記モデル変換手段に応答して、前記ユニットプロセスモデルを再校正するように構成されたモデル校正手段であって、前記再校正により、前記ユニットプロセスモデルが、前記実際の動作ユニットの計器によって収集されたリアルタイム測定値に基づいて機能できるようにする、モデル校正手段、および
ｃ）再校正された前記ユニットプロセスモデルを前記産業プラントにおいてオンラインで配備するように接続された配備エンジンであって、配備された前記ユニットプロセスモデルは、前記実際の動作ユニットの前記計器によって収集されたリアルタイム測定値に基づいて、前記産業プラントでの前記実際の動作ユニットの動作挙動を予測するＫＰＩを算出する、配備エンジン
を当該コンピュータシステムに実装させるように、前記プロセッサに作動的に接続されており、
前記配備エンジンは、前記実際の動作ユニットを、当該実際の動作ユニットの予測された前記動作挙動に従って制御するように構成された制御システム通信する、コンピュータシステム。
〔態様１３〕
態様１２に記載のコンピュータシステムにおいて、取得された前記プラントワイドプロセスモデルおよび再校正された前記ユニットプロセスモデルが第一原理モデルである、コンピュータシステム。
〔態様１４〕
態様１２に記載のコンピュータシステムにおいて、前記動作ユニットが蒸留塔である、コンピュータシステム。
〔態様１５〕
態様１２に記載のコンピュータシステムにおいて、前記モデル変換手段が、さらに、前記プラントワイドプロセスを、
選択された前記モデル化された動作ユニットとは無関係な変数及び式を除去し、
選択された前記モデル化された動作ユニットの仕様を標準仕様に置換し、
計算基準を標準形式に変換し、
選択された前記モデル化された動作ユニットのプロセス変数を再設定し、
選択された前記モデル化された動作ユニットの制御ループであって、選択された前記モデル化された動作ユニットの動作目的を特定する制御ループを決定することによって
変換するように構成されている、コンピュータシステム。
〔態様１６〕
態様１５に記載のコンピュータシステムにおいて、前記モデル変換手段が、さらに、前記プロセス変数を、
選択された前記モデル化された動作ユニットの操作変数及び出力変数を特定し、
特定された前記操作変数及び前記出力変数のそれぞれを、少なくとも１つの計器タグにマッピングすることによって
再設定するように構成されている、コンピュータシステム。
〔態様１７〕
態様１２に記載のコンピュータシステムにおいて、前記モデル校正手段が、
リアルタイムプラントヒストリアンから取り出されたプラントデータに基づくデータセットであって、校正された時間ホライズン中に定常状態で収集された、前記プラントデータのサブセットを含むデータセットを生成するように構成されたデータセット生成部、
前記ユニットプロセスモデルにおけるモデル化された流量を調和させるように構成された流量調和部であって、当該調和は、前記ユニットプロセスモデルが前記産業プラントにおいて実際の流量計器によって収集された測定値を用いて機能することを可能にする、流量調和部、
前記ユニットプロセスモデルにおけるモデル化された温度を調和させるように構成された温度調和部であって、当該調和は、前記ユニットプロセスモデルが前記産業プラントにおいて実際の流量計器によって収集された測定値を用いて機能することを可能にする、温度調和部、
選択された前記モデル化された動作ユニットに入る原料ストリームの組成を前記ユニットプロセスモデルが推定することを可能にする原料推定手段を構築するように構成された原料推定手段構築部、ならびに
選択された前記モデル化された動作ユニットが蒸留塔である場合、前記ユニットプロセスモデルにおける当該蒸留塔の内部の液体・蒸気往来流を表す流体力学的モデルを調整するように構成された流体力学的モデル調整部、
を含む、コンピュータシステム。
〔態様１８〕
態様１７に記載のコンピュータシステムにおいて、前記流量調和部および前記温度調和部が、さらに、
前記実際の計器それぞれにおける期待誤差を選択し、
前記データセットの前記プラントデータを、トレーニングセットとテストセットに分けて、
最適化モデルを前記トレーニングセットにおける各データ点について生成し、当該最適化モデルの解を求めることにより、前記モデル化された流量又は前記モデル化された温度についての校正パラメータを決定し、
シミュレーションモデルを前記テストセットにおける各データ点について生成し、当該シミュレーションモデルの解を求めることにより、決定された前記校正パラメータの品質を決定するように構成されている、コンピュータシステム。
〔態様１９〕
態様１８に記載のコンピュータシステムにおいて、前記校正パラメータが：
前記モデル化された流量については、前記実際の流量計器によって測定された流量と前記ユニットプロセスモデルによって算出された流量との差分を表す流量オフセットであり、
前記モデル化された温度については、前記実際の温度計器によって測定された温度と前記ユニットプロセスモデルによって算出された温度との分離度を表す効率パラメータ、および前記実際の動作ユニットにおいて測定された圧力降下が前記ユニットプロセスユニットによって算出された圧力降下と合致するか否かを表す通気パラメータである、コンピュータシステム。
〔態様２０〕
態様１２に記載のコンピュータシステムにおいて、前記配備モジュールが、さらに、
前記実際の動作ユニットの前記計器によるリアルタイム測定値を前記ユニットプロセスモデルによって算出される対応する数値にリンクする変数を生成することを含み、前記ユニットプロセスモデルの動的に実行可能なバージョンを生成し、
前記実際の動作ユニットのリアルタイム測定値を取り出し、前記モデルに、リンクされた変数をリアルタイム測定値と関連付けて設定し、
前記ユニットプロセスモデルの前記動的に実行可能なバージョンの解を求め、リンクされた変数を算出されるモデル値と関連付けて設定し、前記モデル化された動作ユニットのＫＰＩの数値を決定し、
決定された前記ＫＰＩを、当該ＫＰＩに基づいて前記実際の動作ユニットを予測及び制御するように構成されたプラントコンピュータによるアクセスのために、リアルタイムヒストリアンに書き込むように構成されている、コンピュータシステム。
〔態様２１〕
態様１２に記載のコンピュータシステムにおいて、前記配備モジュールが、さらに、再校正された前記ユニットプロセスモデルを適用し、前記実際の動作ユニットの事象についての指示案内のユーザへの提供を自動化しているルールエンジンを生成する、コンピュータシステム。
〔態様２２〕
コード命令が記憶された非過渡的なコンピュータ読取り可能記憶媒体、
を備える、コンピュータプログラムプロダクトであって、
前記記憶媒体は、オンラインのユニットプロセスモデルを生成するプロセッサにより実行されると前記コード命令が、当該プロセッサに：
産業プラントのプラントワイドプロセスモデルであって、前記産業プラントのオフライン操業を実行するように構成されているプラントワイドプロセスモデルを取得する手順、
取得された前記プラントワイドプロセスモデルに含まれる、モデル化された動作ユニットであって、前記産業プラントにおける実際の動作ユニットに対応するモデル化された動作ユニットを選択する手順、
取得された前記プラントワイドプロセスモデルを、選択された前記モデル化された動作ユニットの第一原理ユニットプロセスモデルに変換する手順、
前記ユニットプロセスモデルを、前記実際の動作ユニットの計器によって収集されたリアルタイム測定値に基づいて機能できるように再校正して、再校正された第一原理ユニットプロセスモデルとする手順、
再校正された前記第一原理ユニットプロセスモデルであって、前記実際の動作ユニットの前記計器によって収集されたリアルタイム測定値に基づいて、前記産業プラントにおける前記実際の動作ユニットの動作挙動を予測するＫＰＩを算出する第一原理ユニットプロセスモデルを前記産業プラントにおいてオンラインで配備する手順、
前記実際の動作ユニットを、当該実際の動作ユニットの予測された前記動作挙動に従って制御する手順
を実行させるように、当該プロセッサに作動的に接続されている、コンピュータプログラムプロダクト。